(57)【要約】【課題】  薬剤の残量と電池の電力供給残量とをバランスよく使用できる薬剤拡散装置の提供【解決手段】  拡散装置本体に駆動モータと、該駆動モータに電力を供給するための電池と、薬剤を有する薬剤保持体とが装着されて、駆動モータのモータ軸に薬剤保持体の軸孔が嵌合してモータ軸が回転して薬剤保持体が回転することで薬剤が大気中に拡散されるよう構成された薬剤拡散装置であって、薬剤保持体と電池とが組品として一体に取扱われて拡散装置本体に着脱自在とされている構成。【選択図】  図３
2008271801.tif 000002
【特許請求の範囲】
【請求項１】
拡散装置本体に駆動モータと、該駆動モータに電力を供給するための電池と、薬剤を有する薬剤保持体とが装着されて、駆動モータのモータ軸に薬剤保持体の軸孔が嵌合してモータ軸が回転して薬剤保持体が回転することで薬剤が大気中に拡散されるよう構成された薬剤拡散装置であって、
前記薬剤保持体と電池とが組品として一体に取扱われて拡散装置本体に着脱自在とされていることを特徴とする薬剤拡散装置。
【請求項２】
電池を収納した収納部が拡散装置本体に設けた電池収納部に収納され、収納部および薬剤保持体の拡散装置本体への装着時にモータ軸と軸孔とを軸心方向で対向させるべく薬剤保持体を前記収納部に対して支持する支持手段が設けられていることを特徴とする請求項１記載の薬剤拡散装置。
【請求項３】
収納部は箱状に形成されて電池の径方向に離間し且つ平行に一対で設けられ、各収納部はその上面どうしに円板状の連結部材の対向する端部を亙すことで連結されており、支持手段は前記連結部材の外周部に周方向に互いに離間して立設する脚状に形成され、収納部の間に駆動モータが挿入されるものであることを特徴とする請求項２記載の薬剤拡散装置。
【請求項４】
収納部はモータ軸の軸方向から拡散装置本体に装着されるものであることを特徴とする請求項２または請求項３に記載の薬剤拡散装置。
【請求項５】
収納部はモータ軸の径方向から拡散装置本体に装着されるものであることを特徴とする請求項２または請求項３に記載の薬剤拡散装置。
【発明の詳細な説明】
【技術分野】
【０００１】
本発明は、例えば、蚊や虻等の害虫を除去、あるいは殺虫するための薬剤を拡散させる薬剤拡散装置に関する。
【背景技術】
【０００２】
従来、この種の薬剤拡散装置として、例えば特許文献１に示すものがある。これは、薬剤を保持（含浸を含む）させた薬剤保持体を回転させて、薬剤を大気中に拡散させるものである。また、特許文献２に示すものは、薬剤保持体を固定しておき、これに駆動モータの駆動によるファンからの風を送ってその気流によって薬剤を拡散させるものである。
これら薬剤拡散装置では、消耗品としての薬剤保持体や、駆動モータの電力となる電池を交換可能に構成されている。
【特許文献１】特許第３３６１５４１号公報
【特許文献２】特開２００２−２９１３９２号公報
【発明の開示】
【発明が解決しようとする課題】
【０００３】
上記従来の薬剤拡散装置では、消耗品としての薬剤保持体や電池は交換可能になっているが、薬剤の消耗時間と電池の消耗時間とを一致させて、両者を同時に交換する設計が好ましい。
しかしながら、いわゆる電池切れ状態であって、例えば匂い等により薬剤が薬剤保持体に残っていることを薬剤拡散装置の使用者が確認すると使用者は電池のみを交換し、あるいは、薬剤はなくなったが電池がまだ駆動モータに電力を供給できる状態であることを使用者が確認すると、使用者は薬剤保持体のみを交換する、ということが行われ易い。すなわち、薬剤の残量と電池の電力供給残量とがアンバランスになってしまうという課題があった。
また、使用者が電池を正規の方向とは反対の方向（正極と負極が逆）に装着してしまうことが考えられ、この場合は薬剤拡散装置が駆動しない等の不具合が生じてしまう。
【０００４】
そこで本発明は、上記課題に鑑み、薬剤の残量と電池の電力供給残量とをバランスよく使用できる薬剤拡散装置の提供を目的としている。
【課題を解決するための手段】
【０００５】
本発明は、拡散装置本体に駆動モータと、該駆動モータに電力を供給するための電池と、薬剤を有する薬剤保持体とが装着されて、駆動モータのモータ軸に薬剤保持体の軸孔が嵌合してモータ軸が回転して薬剤保持体が回転することで薬剤が大気中に拡散されるよう構成された薬剤拡散装置であって、前記薬剤保持体と電池とが組品として一体に取扱われて拡散装置本体に着脱自在とされていることを特徴としている。
【０００６】
上記構成において、薬剤を有する薬剤保持体と、薬剤保持体を回転させる駆動モータに電力を供給するための電池とを組品として一体に取扱うようにして拡散装置本体に装着することにより、薬剤の残量と電池の電力残量とがほぼ一致するような使用が可能となる。
【０００７】
本発明の薬剤拡散装置では、電池を収納した収納部が拡散装置本体に設けた電池収納部に収納され、収納部および薬剤保持体の拡散装置本体への装着時にモータ軸と軸孔とを軸心方向で対向させるべく薬剤保持体を前記収納部に対して支持する支持手段が設けられていることを特徴としている。
【０００８】
上記構成の薬剤拡散装置では、収納部に電池を収納し、支持手段によって収納部に対して薬剤保持体を支持させて薬剤保持体と電池とを組品とした状態で拡散装置本体に装着する。
【０００９】
本発明の薬剤拡散装置では、収納部は箱状に形成されて電池の径方向に離間し且つ平行に一対で設けられ、各収納部はその上面どうしに円板状の連結部材の対向する端部を亙すことで連結されており、支持手段は前記連結部材の外周部に周方向に互いに離間して立設する脚状に形成され、収納部の間に駆動モータが挿入されるものであることを特徴としている。
【００１０】
上記構成において、薬剤保持体と電池とを拡散装置本体に装着すると、電池が駆動モータの両側に位置するから、薬剤拡散装置の重量バランスが良好となって扱い易く、小型化も可能となる。
【００１１】
本発明の薬剤拡散装置では、収納部はモータ軸の軸方向から拡散装置本体に装着されるものであることを特徴としている。
【００１２】
本発明の薬剤拡散装置では、収納部はモータ軸の径方向から拡散装置本体に装着されるものであることを特徴としている。
【発明の効果】
【００１３】
本発明の薬剤拡散装置によれば、薬剤を有する薬剤保持体と、薬剤保持体を回転させる駆動モータに電力を供給するための電池とを組品として一体に取扱うようにして拡散装置本体に装着する構成としたことにより、薬剤の残量と電池の電力残量とがほぼ一致するような使用が可能となる。
また、使用者が電池を誤った方向に設置してしまうという状態を防止することができる。
【発明を実施するための最良の形態】
【００１４】
以下、本発明の実施形態に係る薬剤拡散装置を、蚊や虻等の害虫を除去、あるいは殺虫するための薬剤を拡散させるための薬剤拡散装置として説明する。
図１は本発明の実施形態を示す薬剤拡散装置の蓋体を閉じた状態の斜視図、図２は同じく蓋体を開いた状態で組品を取付けていない状態の概略斜視図、図３は組品の組立て状態を示す斜視図、図４は組品を電池収納箱に上方から装着する状態を示す斜視図、図５は図１の縦方向断面図である。
【００１５】
これらの図に示すように、薬剤拡散装置１は、薬剤を有する拡散装置本体２と、駆動モータ３と、駆動モータ３に電力を供給するための電池（アルカリ乾電池）４，４と、薬剤を有する薬剤保持体５とを備えている。
【００１６】
拡散装置本体２は、上方を開放した中抜きの箱状（直方体形状）に形成されている。拡散装置本体２の内部に駆動モータ３が収納されて固定されている。駆動モータ３は箱体６に収納されて、そのモータ軸７が拡散装置本体２の中心に位置して拡散装置本体２のフレーム状の側壁８に平行（垂直）に箱体６から突出している。
箱体６の両側に、上方を開放部１０とした箱状の電池収納部１１が配置されている。すなわち電池収納部１１は、箱体６を介して離間した一対の電池収納箱１２，１２から構成されている。電池収納箱１２，１２の側壁は、拡散装置本体２の側壁８に嵌合するよう設置されている。なお、電池収納箱１２，１２は直方体形状に形成されている。
【００１７】
拡散装置本体２の側壁８には第一ヒンジ１３を介して拡散装置本体２の開放面を覆う蓋体１４が開閉自在に取付けられている。蓋体１４には、薬剤を大気中に導出するための導出孔１５を有するドーム部１６が形成されている。
【００１８】
図３および図４に示すように、電池４，４と円盤状の薬剤保持体５とは一体ものとして取扱うことが可能なよう組品１７とされている。すなわち、組品１７は、電池４，４と電池４，４を保持する一対の電池保持体（収納部に相当する）１８，１８と、電池保持体１８，１８の上面どうしを連結する板状の連結部材２０と、薬剤保持体５と、薬剤保持体５を連結部材２０に対して浮いた状態で支持する複数本の支持脚２１とから構成されている。
ここで、電池４，４は正規の方向（正極と負極とが正しい方向）で電池保持体１８，１８に収納されている。これによって使用者が電池４，４を誤った方向（正極と負極が逆となる方向）に設置してしまうという状態を防止することができる。
【００１９】
電池保持体１８，１８は電池収納箱１２，１２に上方から嵌合可能なよう電池収納箱１２，１２と相対形状に形成されている。電池保持体１８，１８は電池４，４の径方向に離間して設けられている。
【００２０】
連結部材２０は円盤状に形成されており、その外周部両側が電池保持体１８，１８の上面に固着されており、この構成によって両電池保持体１８，１８は一体化されている。なお、電池保持体１８，１８、連結部材２０および支持脚２１は合成樹脂材から形成されている。
【００２１】
支持脚２１は連結部材２０の外周部に所定間隔置きに、少なくとも三個設けられている。これら支持脚２１はその基部が連結部材２０に一体的に形成されて、該基部を中心として連結部材２０の径方向外方に向けて傾倒可能に設けられている。
【００２２】
各支持脚２１は支持脚本体２２と、その上部にほぼ薬剤保持体５の厚み程度だけ支持脚２１の長さ方向に離間した保持体支持片２３，２４とから一体的に形成されている。
保持体支持片２３，２４は、支持脚本体２２の立脚状態、すなわち支持脚本体２２が連結部材２０の中心軸に沿う方向に対してその径方向外方に向けてわずかに傾斜して立脚した状態において、連結部材２０の径方向内方に突出するものである。
すなわち、各支持脚２１は下側の保持体支持片２３，２４の近傍でその支持脚本体２２の対向面どうしを結んだ仮想円の径が薬剤保持体５の径にほぼ等しくなるもので、基部で支持脚本体２２の対向面どうしを結んだ仮想円の径は、薬剤保持体５の径よりも小さく設定されていることが好ましい。
【００２３】
薬剤保持体５は、保持枠部材２５と、保持枠部材２５の径方向内方で嵌合して保持される薬剤含浸体２６とから構成されている。保持枠部材２５は硬質の合成樹脂から形成されており、薬剤含浸体２６は薬剤を含浸可能なよう立体的な網状体から形成されている。
なお、保持枠部材２５の構成は、薬剤含浸体２６を確実に装着可能で上方を開放する形状であれば特に限定されるものではない。
【００２４】
図では保持体支持片２３，２４は誇張した厚みで描いているが、少なくとも下側の保持体支持片２３は、上方からの押圧力により容易に撓むことができるようその弾性が設定されており、具体的には厚みを薄く形成することで、保持枠部材２５を上方から押圧した際に容易に下方に撓んで、保持枠部材２５を押し下げることができるようになっている。
【００２５】
保持枠部材２５および薬剤含浸体２６の中心には、モータ軸７が挿入される軸孔２７，２８が形成されている。保持枠部材２５の軸孔２７は、モータ軸７の径とほぼ同じで、薬剤含浸体２６の軸孔２８に比べて小径に形成されている。
【００２６】
なお、保持枠部材２５の上部には、保持枠部材２５に薬剤含浸体２６を装着した後に外れてしまうのを防止する係止片３０が複数箇所に一体的に形成されている。また、保持枠部材２５を押し下げる際に、薬剤含浸体２６に使用者の手指が触れないように、保持枠部材２５の中央上部に軸孔２７を延長させて押え片（図示せず）を設け、この押え片を手指で押し下げるよう構成することが好ましい。
【００２７】
上記構成において、組品１７を拡散装置本体２に装着する手順を説明する。先ず、薬剤拡散装置１の使用者は、拡散装置本体２の蓋体１４を第一ヒンジ１３回りに回動し拡散装置本体２の上方を開放して、モータ軸７を露出させる。
【００２８】
次に、使用者は組品１７を手指で把持して電池４，４を電池収納部１１に装着すべく組品１７を上方、すなわちモータ軸７の軸方向からその電池保持体１８，１８を、電池収納部１１をガイドとしてこれに挿入する。そうすると、薬剤保持体５は各支持脚２１に支持されて連結部材２０から浮いているから、モータ軸７と軸孔２７，２８とが上下方向で対向することになる。
【００２９】
このような状態として、薬剤保持体５を下方へ向けて押圧する。そうすると、薬剤保持体５の保持枠部材２５によって保持体支持片２３，２４が下方に撓んで、さらに押圧すると、支持脚本体２２の基部で対向面どうしを結んだ仮想円の径は、薬剤保持体５の径よりも小さく設定されているから、支持脚本体２２はその基部から径方向外方に倒れ、モータ軸７が両軸孔２７，２８に嵌合する。
また、電池保持体１８，１８の間に駆動モータ３が配置された構成となる。
【００３０】
そして使用者は、蓋体１４を第一ヒンジ１３回りに閉める。上記のようにしてモータ軸７と薬剤保持体５（薬剤含浸体２６）とが一体化されるから、モータ軸７の回転、すなわち駆動モータ３の駆動により、薬剤含浸体２６が軸心回りに回転して、その際に発生する気流（風力）によって、薬剤が薬剤含浸体２６から大気中に拡散（揮散）される。
なお、薬剤保持体５を拡散装置本体２に装着した後に支持脚２１が邪魔な場合は、使用者が千切り取る等してこれを無くすることも可能である。
【００３１】
以上のように、本発明の実施形態によれば、電池４，４および薬剤保持体５を組品１７として一体ものとして扱うことができるから、あるいは使用者は電池４，４と薬剤保持体５とを一体ものとして扱うよう組品１７が構成されているから、電池４，４の電力と薬剤の寿命とが一致するような使用ができ、電池４，４の電力がたくさん残っているのに薬剤が無い、あるいは薬剤がたくさん残っているのに電池の電力残量が無いといった不都合を解消することができる。
【００３２】
なお、使用済みの組品１７は、使用者が蓋体１４を第一ヒンジ１３回りに開け、薬剤保持体５および電池保持体１８，１８をモータ軸７の軸心方向に引抜くことで容易に取外すことができる。
【００３３】
本発明の別の実施形態を図６ないし図９に基づいて説明する。図６は、別の実施形態を示す薬剤拡散装置１の組品１７を取付けていない状態の全体斜視図、図７（a），（b）は組品１７の全体構成を示す斜視図、図８は組品１７を駆動モータ３および電池保持体１８，１８側へ向けて装着する際の拡散装置本体２を省略した斜視図、図９（a）は同じく平面図、図９（b）は同じく側面図である。
【００３４】
図６ないし図９に示す実施形態における薬剤拡散装置１は、その組品１７をモータ軸７の径方向から拡散装置本体２に装着するものである。
【００３５】
拡散装置本体２の蓋体１４はドーム部１６と矩形板状の蓋部３５とが別体で形成されている。蓋部３５は第一ヒンジ１３とは異なる第二ヒンジ３６を介して側壁８に開閉自在に取付けられており、その中心にはモータ軸７が挿入される挿入孔３７が形成されている。
【００３６】
第一ヒンジ１３が取付けられている側壁８の対向する側壁部分３８の下部には、第一ヒンジ１３と平行な軸心を有する第三ヒンジ４０を介して側壁部分３８が開閉自在に設けられている。
【００３７】
電池収納箱１２，１２の側壁部分３８側は開放されている。この構成により、組品１７はモータ軸７の径方向から拡散装置本体２に装着可能となっている。
【００３８】
すなわち組品１７は、電池４，４と、板状の連結部材２０によって電池４，４の径方向に並行に離間して連結された電池保持体１８，１８と、薬剤保持体５と、薬剤保持体５を装着するための支持手段としてのホルダー４１とを備えている。ホルダー４１は連結部材２０に第四ヒンジ４３を介して回動自在に支持されている。
【００３９】
連結部材２０は矩形板状である。連結部材２０の側部中央には電池４，４と平行なモータ軸挿入凹部４４が形成されている。このモータ軸挿入凹部４４は、連結部材２０の側部端面２０ａから電池保持体１８，１８の長さ方向略半分の位置まで延長されている。なお、連結部材２０の側部端面２０ａは電池保持体１８，１８の端面１８ａから長さ方向に位置ずれして配置されている。
【００４０】
ホルダー４１は半円盤状の対向板４５，４６を平行且つ一対に設けて、これらを複数の連結片４７によって連結した構成であり、対向板４５，４６の径は薬剤保持体５の径に比べて大きく設定されている。対向板４５，４６の離間間隔は、薬剤保持体５の厚みに比べて大きく設定されている。ホルダー４１に薬剤保持体５を装着した状態では、軸孔２８は、ホルダー４１の対向板４５，４６で覆われることなく露出している。そして、ホルダー４１に薬剤保持体５を装着した状態でモータ軸挿入凹部４４と軸孔２８とは軸心方向で一致した位置にあるようになっている。
【００４１】
一方（下側）の対向板４６の端部中心と、連結部材２０の側部端面２０ｂの中央部とが前記第四ヒンジ４３によって連結されている。
第四ヒンジ４３は、一枚の可撓性を有する樹脂板によって形成されておりその一端側はホルダー４１すなわち一方の対向板４６に固着され、他端側は、連結部材２０に固着されている。第四ヒンジ４３は、可撓性を有するとともに、その可撓性によってホルダー４１を連結部材２０の面に沿って移動可能とするものである。
【００４２】
上記構成において、蓋部３５を閉じて蓋部３５の挿入孔３７からモータ軸７を突出させ、第三ヒンジ４０回りに側壁部分３８を回動させて、側壁部分３８で覆われる開口３８ａを開放しておく。一方で、組品１７は、ホルダー４１に薬剤保持体５を保持させておき、これを拡散装置本体２に装着する際には、ホルダー４１を第四ヒンジ４３回りに回動させて連結部材２０から離すようにした状態とし、電池保持体１８，１８を開口３８ａから（モータ軸７の径方向から）挿入する。
【００４３】
そうすると、電池収納箱１２，１２の側壁部分３８側は開放されているから、電池保持体１８，１８は電池収納箱１２，１２をガイドとして容易にこれに挿入される。
また、電池保持体１８，１８の間に駆動モータ３が配置された構成となる。
【００４４】
続いて、ホルダー４１を第四ヒンジ４３回りに倒して軸孔２８をモータ軸７に挿通嵌合する。この場合、ホルダー４１を第四ヒンジ４３回りに倒すようにするから、軸孔２８はモータ軸７の軸心方向から円滑に挿入されるとは限らない。このような場合であっても、第四ヒンジ４３はその可撓性によってホルダー４１を連結部材２０の面に沿って移動可能とするものであるから、ホルダー４１を連結部材２０の面に沿って移動させることで、モータ軸７に軸孔２８を軸心方向で位置合わせして、モータ軸７に軸孔２８を軸心方向から挿入することが可能である。このとき、ホルダー４１は蓋部３５の上側に位置することになる。
なお、ホルダー４１が薬剤保持体５を覆う部分が大きいと薬剤の拡散状態に影響をおよぼすことがあるので、できるだけ被覆面積を小さくするか、組品１７の装着後に引き抜くよう設計することが好ましい。
【００４５】
上記のようにして組品１７を拡散装置本体２に装着した後にドーム部１６を閉じ、駆動モータ３を駆動させることにより、対向板４５，４６の離間間隔は、薬剤保持体５の厚みに比べて大きく設定されているから薬剤保持体５がモータ軸７とともに円滑に回転することになる。これによって薬剤を大気中に拡散させることができる。
【００４６】
そして、この実施形態によっても、電池４，４と薬剤保持体５とを組品１７として一体ものとして取扱うようにしているから、電池４，４の電力と薬剤の寿命とが一致するような使用ができ、電池４，４の電力がたくさん残っているのに薬剤が無い、あるいは薬剤がたくさん残っているのに電池の電力残量が無いといった不都合を解消することができる。
【００４７】
なお、使用済みの組品１７は、使用者が蓋体１４を第一ヒンジ１３回りに開け、薬剤保持体５を第四ヒンジ４３回りに回動させてモータ軸７から取外し、電池保持体１８，１８を開口３８ａへ（モータ軸７の径方向へ）引抜くようにすることで容易に取外すことができる。
【００４８】
支持手段として、図１０に示すものが考えられる。これは、支持脚２１は支持脚本体２２と、その上部にほぼ薬剤保持体５の厚み程度だけ支持脚２１の長さ方向に離間した保持体支持片２３，２４とから一体的に形成したものに対して、特に保持体支持片２３，２４を設けることなく、複数の支持脚５０を単なる薄板状に形成している。そして、各支持脚５０の対向面を、その長さ方向（高さ方向）上部が径方向外方に傾斜するテーパ面状に形成したものである。
【００４９】
各支持脚５０の長さ方向（高さ方向）上端部または長さ方向中間部でその支持脚５０の対向面どうしを結んだ仮想円の径が薬剤保持体５の径にほぼ等しくなるよう設定されており、基部で支持脚本体２２の対向面どうしを結んだ仮想円の径は、薬剤保持体５の径よりも小さく設定されている。他の構成は、図３に示したものと同様であるので同一の符号を付してその説明を省略する。
【００５０】
上記のように構成することによっても、薬剤保持体５を各支持脚５０で支持した状態で電池４，４と薬剤保持体５とを一体ものの組品１７として取扱うことができる。
使用者は組品１７を手指で把持して電池４，４を電池収納部１１に装着すべく組品１７を上方、すなわちモータ軸７の軸方向からその電池保持体１８，１８を、電池収納部１１をガイドとしてこれに挿入する。そうすると、薬剤保持体５は各支持脚５０に支持されて連結部材２０から浮いているから、モータ軸７と軸孔２７，２８とが上下方向で対向することになる。このような状態として、薬剤保持体５を下方へ向けて押圧する。そうすると、薬剤保持体５の保持枠部材２５によって各支持脚５０がその基部から径方向外方に倒れ、モータ軸７が両軸孔２７，２８に嵌合する。なお、各支持脚５０は、組品１７の装着後に取除くようにしてもよい。
【図面の簡単な説明】
【００５１】
【図１】本発明の実施形態を示す薬剤拡散装置の蓋体を閉じた状態の斜視図
【図２】同じく蓋体を開いた状態で組品を取付けていない状態の概略斜視図
【図３】同じく組品の組立て状態を示す斜視図
【図４】同じく組品を電池収納箱に上方から装着する状態を示す斜視図
【図５】同じく図１の縦方向断面図
【図６】別の実施形態を示す薬剤拡散装置の組品を取付けていない状態の全体斜視図
【図７】同じく図７（a）は第四ヒンジ回りに薬剤保持体を開いた状態の組品の全体構成を示す斜視図、図７（b）は第四ヒンジ回りに薬剤保持体を閉じた状態の組品の全体構成を示す斜視図
【図８】同じく組品を駆動モータおよび電池保持体側へ向けて装着する際の拡散装置本体を省略した斜視図
【図９】同じく図９（a）は平面図、図９（b）は側面図
【図１０】別の支持手段を示す組品の斜視図
【符号の説明】
【００５２】
１…薬剤拡散装置、２…拡散装置本体、３…駆動モータ、４，４…電池、５…薬剤保持体、６…箱体、７…モータ軸、８…側壁、１０…開放部、１１…電池収納部、１２，１２…電池収納箱、１３…第一ヒンジ、１４…蓋体、１７…組品、１８，１８…電池保持体、２０…連結部材、２１…支持脚、２２…支持脚本体、２３，２４…保持体支持片、２５…保持枠部材、２６…薬剤含浸体、２７，２８…軸孔、３０…係止片、３７…挿入孔、３８ａ…開口、４０…第三ヒンジ、４１…ホルダー、４３…第四ヒンジ、４４…モータ軸挿入凹部、４５，４６…対向板、４７…連結片、５０…支持脚
【図１】
2008271801.tif 000003
【図２】
2008271801.tif 000004
【図３】
2008271801.tif 000005
【図４】
2008271801.tif 000006
【図５】
2008271801.tif 000007
【図６】
2008271801.tif 000008
【図７】
2008271801.tif 000009
【図８】
2008271801.tif 000010
【図９】
2008271801.tif 000011
【図１０】
2008271801.tif 000012